(57)【要約】      （修正有）【課題】液晶ディスプレイ等の表示部を備えていない時計であっても、通信の相手側の機器において入力すべき情報を表示可能な時計を提供する。【解決手段】操作ボタン１７の押下により通信モードに遷移した場合には、通信処理部２３ｂにより複数桁の数字により表されるＰＩＮ ＣＯＤＥ等の認証コードを発生させ、認証コードの各桁の数字に対応する時刻表示位置に秒針等の指針を移動させるように、時刻情報管理部２３ａにより運針制御部３を制御し、認証コードを桁ごとに表示する。【選択図】図２
2015184101.tif 000002
【特許請求の範囲】
【請求項１】
外部の電子機器と通信可能な時計であって、
指針と、
前記指針による表示を管理する時刻情報管理部と、を備え、
前記時刻情報管理部は、前記電子機器との通信を行う通信モード時には、前記電子機器
にて入力すべき情報を前記指針により表示させる、
ことを特徴とする時計。
【請求項２】
時刻を含む数字を表示する数字表示部と、
前記指針として複数の指針とを備え、
前記時刻情報管理部は、複数桁の数字を前記入力すべき情報として表示させる際には、
前記複数の指針のうちの一つの指針を前記数字表示部の数字表示位置に移動させ、前記複
数桁の数字を一桁ずつ表示させる、
ことを特徴とする請求項１に記載の時計。
【請求項３】
前記一つの指針は秒針である、
ことを特徴とする請求項２に記載の時計。
【請求項４】
時刻を含む数字を表示する数字表示部と、
前記指針として複数の指針とを備え、
前記時刻情報管理部は、複数桁の数字を前記入力すべき情報として表示させる際には、
前記複数の指針のうちの第１の指針を前記数字表示部の数字表示位置に移動させて前記複
数桁の数字の桁を表示させ、前記複数の指針のうちの第２の指針を前記数字表示部の数字
表示位置に移動させて前記第１の指針により表示される桁の数字を表示させる、
ことを特徴とする請求項１に記載の時計。
【請求項５】
時刻を含む数字を表示する数字表示部と、
前記指針として複数の指針とを備え、
前記時刻情報管理部は、複数桁の数字を前記入力すべき情報として表示させる際には、
前記複数の指針を前記数字表示部の複数の数字表示位置に移動させて前記複数桁の数字を
複数桁ずつ表示させる、
ことを特徴とする請求項１に記載の時計。
【請求項６】
前記入力すべき情報は、前記外部機器との通信開始の際に必要となる認証情報である、
ことを特徴とする請求項１乃至請求項５のいずれか１項に記載の時計。
【請求項７】
外部の時計と通信可能な電子機器のプログラムであって、
前記電子機器を、
表示部と、
入力部と、
前記時計が前記電子機器にて入力すべき情報の表示が可能であると判定した場合には、
前記表示部に、前記入力すべき情報の表示の入力欄を表示させる制御部として機能させる
、
ことを特徴とするプログラム。
【請求項８】
前記入力すべき情報は、複数桁の数字であり、
前記制御部を、前記入力欄のうち未入力の桁を他の桁と識別可能に表示させる制御部と
して機能させる、
ことを特徴とする請求項７に記載のプログラム。
【請求項９】
時計と、当該時計と通信可能な電子機器とを備える通信システムであって、
前記時計は、
指針と、
前記指針による表示を管理する時刻情報管理部と、を備え、
前記時刻情報管理部は、前記電子機器との通信を行う通信モード時には、前記電子機器
にて入力すべき情報を前記指針により表示させ、
前記電子機器は、
表示部と、
入力部と、
前記時計が前記電子機器にて入力すべき情報の表示が可能であると判定した場合には、
前記表示部に、前記入力すべき情報の表示の入力欄を表示させる制御部と、を備える、
ことを特徴とする通信システム。
【発明の詳細な説明】
【技術分野】
【０００１】
本発明は、近距離無線通信機能を備えた時計、及び当該時計と近距離無線通信を行う電
子機器のプログラム、並びに前記時計と前記電子機器を備える通信システムに関する。
【背景技術】
【０００２】
電子機器間の近距離無線通信技術としては、Ｂｌｕｅｔｏｏｔｈ（登録商標）が知られ
ている。例えば、携帯電話と時計との間でＢｌｕｅｔｏｏｔｈ（登録商標）の規格に従っ
た無線通信を行い、携帯電話の着信を時計に報知することが提案されている（特許文献１
）。
【０００３】
このようなＢｌｕｅｔｏｏｔｈ（登録商標）の規格に従った無線通信を行うためには、
無線通信を行う電子機器同士を登録しておくペアリングと呼ばれる処理が必要である。ペ
アリングにおいては、いくつかのセキュリティレベルがあり、ＰＩＮ ＣＯＤＥの入力を
必要とする場合が最もセキュリティレベルが高い。例えば、無線接続されるスレーブ側の
電子機器から出力または表示されるＰＩＮ ＣＯＤＥを、マスター側の電子機器において
入力することによりペアリングが行われ、その後はお互いの距離が無線通信可能な範囲で
あれば、お互いの機器を認識して無線通信が可能となる。特許文献１では、ペアリング時
にＰＩＮ ＣＯＤＥの一つとしてデータ暗号化用のパスキーを入力する例が記載されてい
る。
【先行技術文献】
【特許文献】
【０００４】
【特許文献１】特開２０１２−６０４９４号公報
【発明の概要】
【発明が解決しようとする課題】
【０００５】
しかしながら、特許文献１においては、無線通信を行う時計がどのような種類の時計で
あるかが明示されておらず、上述したパスキーについても、具体的な入力方法については
明示されていない。
【０００６】
液晶ディスプレイ等の表示部を備える時計の場合には、表示部に６桁等の数字から成る
パスキー等のＰＩＮ ＣＯＤＥを表示させれば、ユーザはＰＩＮ ＣＯＤＥを認識すること
ができ、携帯電話においてそのＰＩＮ ＣＯＤＥを入力することが可能となる。しかし、
このような液晶ディスプレイ等の表示部を備えていないアナログ時計の場合には、ＰＩＮ
ＣＯＤＥを表示することができないため、Ｂｌｕｅｔｏｏｔｈ（登録商標）等の近距離
無線通信技術を用いることができなかった。
【０００７】
本発明は、上述した事情に鑑みてなされたものであり、液晶ディスプレイ等の表示部を
備えていない時計であっても、通信の相手側の機器において入力すべき情報を表示可能な
時計、及びこのような時計と通信を行うための電子機器のプログラム、並びに時計と電子
機器とを備える通信システムを提供することを解決課題としている。
【課題を解決するための手段】
【０００８】
以上の課題を解決するため、本発明に係る時計は、外部の電子機器と通信可能な時計で
あって、指針と、前記指針による表示を管理する時刻情報管理部と、を備え、前記時刻情
報管理部は、前記電子機器との通信を行う通信モード時には、前記電子機器にて入力すべ
き情報を前記指針により表示させることを特徴とする。
【０００９】
本発明によれば、通常の時刻表示を行うモード時には、時刻情報管理部は、指針により
時刻を表示させる。一方、電子機器との通信を行う通信モード時には、時刻情報管理部は
、指針により、時刻ではなく電子機器にて入力すべき情報を表示させる。したがって、液
晶ディスプレイ等の表示部を備えていない時計であっても、電子機器にて入力すべき情報
を表示させることができ、例えば無線通信の接続確立時にセキュリティを高めるために何
らかの情報の入力が必要となる場合でも対応することができる。本発明における「時計」
は、アナログ式の表示を行う電子時計、指針をデジタルで表示する電子時計、あるいは、
アナログ式のクオーツウォッチ、置き時計、もしくは、掛け時計等を含む概念である。本
発明における「電子機器」は、携帯電話、スマートフォン、パーソナルコンピュータ等を
含む概念である。本発明の「電子機器にて入力すべき情報」は、ＰＩＮ ＣＯＤＥ等の認
証情報を含む概念である。
【００１０】
上述した時計において、時刻を含む数字を表示する数字表示部と、前記指針として複数
の指針とを備え、前記時刻情報管理部は、複数桁の数字を前記入力すべき情報として表示
させる際には、前記複数の指針のうちの一つの指針を前記数字表示部の数字表示位置に移
動させ、前記複数桁の数字を一桁ずつ表示させるようにしてもよい。
この場合には、時刻情報管理部は、複数の指針のうちの一つの指針を数字表示部の数字
表示位置に移動させる。前記入力すべき情報が複数桁の数字である場合には、各桁の数字
に対応する数字表示位置に前記一つの指針を移動させ、複数桁の数字を一桁ずつ表示させ
る。したがって、液晶ディスプレイ等の表示部を備えていない時計であっても、例えば無
線通信の接続確立時にセキュリティを高めるために必要なＰＩＮ ＣＯＤＥ等の数字情報
入力を表示可能となり、セキュリティの高い無線通信接続が可能となる。本発明の「数字
表示部」は、文字板、ダイヤルリング、ベゼル等を含む概念である。
【００１１】
上述した時計において、前記一つの指針は秒針としてもよい。この場合には、時刻情報
管理部は、秒針を数字表示部の数字表示位置に移動させる。前記入力すべき情報が複数桁
の数字である場合には、各桁の数字に対応する数字表示位置に秒針を移動させ、複数桁の
数字を一桁ずつ表示させる。したがって、液晶ディスプレイ等の表示部を備えていない時
計であっても、例えば無線通信の接続確立時にセキュリティを高めるために必要なＰＩＮ
ＣＯＤＥ等の数字情報入力を表示可能となり、セキュリティの高い無線通信接続が可能
となる。
【００１２】
上述した時計において、時刻を含む数字を表示する数字表示部と、前記指針として複数
の指針とを備え、前記時刻情報管理部は、複数桁の数字を前記入力すべき情報として表示
させる際には、前記複数の指針のうちの第１の指針を前記数字表示部の数字表示位置に移
動させて前記複数桁の数字の桁を表示させ、前記複数の指針のうちの第２の指針を前記数
字表示部の数字表示位置に移動させて前記第１の指針により表示される桁の数字を表示さ
せるようにしてもよい。
この場合には、時刻情報管理部は、前記入力すべき情報が複数桁の数字である場合には
、当該数字のある桁に対応する数字表示位置に第１の指針を移動させ、当該桁を表示させ
る。また、第１の指針により表示される桁の数字に対応する前記数字表示部の数字表示位
置に第２の指針を移動させて前記桁の数字を表示させる。以下、各桁について同様の処理
を行うことにより、前記複数桁の数字の各桁と各桁の数字とを表示することができる。し
たがって、液晶ディスプレイ等の表示部を備えていない時計であっても、数字情報をユー
ザに読み取りやすく表示することができる。
【００１３】
上述した時計において、時刻を含む数字を表示する数字表示部と、前記指針として複数
の指針とを備え、前記時刻情報管理部は、複数桁の数字を前記入力すべき情報として表示
させる際には、前記複数の指針を前記数字表示部の複数の数字表示位置に移動させて前記
複数桁の数字を複数桁ずつ表示させるようにしてもよい。
この場合には、時刻情報管理部は、前記入力すべき情報が複数桁の数字である場合には
、複数の指針のうちの第１の指針を前記数字の第１の桁の数字に対応する数字表示位置に
移動させ、第２の指針を前記数字の第２の桁の数字に対応する数字表示位置に移動させる
。このように複数の指針により複数桁の数字を複数桁ずつ表示させることができる。した
がって、液晶ディスプレイ等の表示部を備えていない時計であっても、少ない回数で複数
桁の数字情報を表示することができる。
【００１４】
上述した時計において、前記入力すべき情報は、前記外部機器との通信開始の際に必要
となる認証情報としてもよい。この場合には、液晶ディスプレイ等の表示部を備えていな
い時計であっても、外部機器との通信開始の際に必要となる認証情報を表示させることが
できるので、セキュリティの高い無線通信接続に対応することができる。
【００１５】
以上の課題を解決するため、本発明に係る電子機器のプログラムは、外部の時計と通信
可能な電子機器のプログラムであって、前記電子機器を、表示部と、入力部と、前記時計
が前記電子機器にて入力すべき情報の表示が可能であると判定した場合には、前記表示部
に、前記入力すべき情報の表示の入力欄を表示させる制御部として機能させる、ことを特
徴とする。
【００１６】
本発明によれば、制御部は、時計による情報の表示能力に基づいて、当該時計が電子機
器にて入力すべき情報の表示が可能であると判定した場合には、表示部に、前記入力すべ
き情報の表示の入力欄を表示させる。したがって、時計と電子機器との間で無線通信の接
続確立時にセキュリティを高めるために何らかの情報の入力が必要となる場合でも対応す
ることができる。本発明における「時計」は、アナログ式の表示を行う電子時計、指針を
デジタルで表示する電子時計、あるいは、アナログ式のクオーツウォッチ、置き時計、も
しくは、掛け時計等を含む概念である。本発明における「電子機器」は、携帯電話、スマ
ートフォン、パーソナルコンピュータ等を含む概念である。本発明の「電子機器にて入力
すべき情報」は、ＰＩＮ ＣＯＤＥ等の認証情報を含む概念である。
【００１７】
上述したプログラムにおいて、前記入力すべき情報は、複数桁の数字であり、前記制御
部を、前記入力欄のうち未入力の桁を他の桁と識別可能に表示させる制御部として機能さ
せるようにしてもよい。この場合には、制御部は、前記入力すべき情報は、複数桁の数字
である場合には、前記入力欄として複数桁の入力欄を表示させ、かつ、未入力の桁につい
ては、他の桁と識別可能に表示させる。したがって、ユーザに対して未入力の桁を確実に
知らせることができる。
【００１８】
以上の課題を解決するため、本発明に係る通信システムは、時計と、当該時計と通信可
能な電子機器とを備える通信システムであって、前記時計は、指針と、前記指針による表
示を管理する時刻情報管理部と、を備え、前記時刻情報管理部は、前記電子機器との通信
を行う通信モード時には、前記電子機器にて入力すべき情報を前記指針により表示させ、
前記電子機器は、表示部と、入力部と、前記時計が前記電子機器にて入力すべき情報の表
示が可能であると判定した場合には、前記表示部に、前記入力すべき情報の表示の入力欄
を表示させる制御部と、を備えることを特徴とする。
【００１９】
本発明によれば、時計において通常の時刻表示を行うモード時には、時計の時刻情報管
理部は、指針により時刻を表示させる。一方、電子機器との通信を行う通信モード時には
、時刻情報管理部は、指針により、時刻ではなく電子機器にて入力すべき情報を表示させ
る。また、電子機器の制御部は、時計による情報の表示能力に基づいて、当該時計が電子
機器にて入力すべき情報の表示が可能であると判定した場合には、表示部に、前記入力す
べき情報の表示の入力欄を表示させる。したがって、ユーザは、時計において表示された
前記入力すべき情報を、電子機器の入力欄に入力することができる。その結果、時計と電
子機器との間で無線通信の接続確立時にセキュリティを高めるために何らかの情報の入力
が必要となる場合でも対応することができる。
【図面の簡単な説明】
【００２０】
【図１】本発明の第１実施形態に係る電子時計の外観を示す平面図である。
【図２】電子時計の電気的構成を示すブロック図である。
【図３】携帯機器の電気的構成及び本発明の通信システムを示すブロック図である。
【図４】通信開始時の携帯機器及び電子時計の表示状態を示す図である。
【図５】ペアリング開始時の携帯機器及び電子時計の表示状態を示す図である。
【図６】ＰＩＮ ＣＯＤＥ入力待ち状態の携帯機器及びＰＩＮ ＣＯＤＥ表示前の電子時計の表示状態を示す図である。
【図７】ＰＩＮ ＣＯＤＥの６桁目と５桁目が入力された状態の携帯機器及びＰＩＮ ＣＯＤＥの５桁目を指し示す電子時計の表示状態を示す図である。
【図８】ＰＩＮ ＣＯＤＥの全ての桁が入力された状態の携帯機器及びＰＩＮ ＣＯＤＥの１桁目を指し示す電子時計の表示状態を示す図である。
【図９】ペアリング終了時の携帯機器及び電子時計の表示状態を示す図である。
【図１０】ＰＩＮ ＣＯＤＥの各桁に対応する時刻表示位置を示す図である。
【図１１】通信開始からペアリング終了までの処理を示すフローチャートである。
【図１２】ＰＩＮ ＣＯＤＥの５桁目が未入力であることを示す状態の携帯機器及びＰＩＮ ＣＯＤＥの５桁目を指し示す電子時計の表示状態を示す図である。
【図１３】本発明の第２実施形態における通信開始からペアリング終了までの処理を示すフローチャートである。
【図１４】本発明の第３実施形態におけるＰＩＮ ＣＯＤＥの各桁に対応する時刻表示位置を示す図である。
【図１５】ＰＩＮ ＣＯＤＥの６桁目と５桁目が入力された状態の携帯機器及びＰＩＮ ＣＯＤＥの６桁目と５桁目を指し示す電子時計の表示状態を示す図である。
【図１６】ＰＩＮ ＣＯＤＥの６桁目と５桁目と４桁目が入力された状態の携帯機器及びＰＩＮ ＣＯＤＥの６桁目と５桁目と４桁目を指し示す電子時計の表示状態を示す図である。
【図１７】通信開始からペアリング終了までの処理を示すフローチャートである。
【図１８】本発明の第４実施形態におけるＰＩＮ ＣＯＤＥの各桁に対応する時刻表示位置、及び、各桁の数字に対応する時刻表示位置を示す図である。
【図１９】ＰＩＮ ＣＯＤＥの６桁目と５桁目が入力された状態の携帯機器及びＰＩＮ ＣＯＤＥの５桁目の桁数と数字とを指し示す電子時計の表示状態を示す図である。
【発明を実施するための形態】
【００２１】
以下、この発明の好適な実施の形態を、添付図面等を参照しながら詳細に説明する。た
だし、各図において、各部の寸法及び縮尺は、実際のものと適宜に異ならせてある。また
、以下に述べる実施の形態は、本発明の好適な具体例であるから、技術的に好ましい種々
の限定が付されているが、本発明の範囲は、以下の説明において特に本発明を限定する旨
の記載がない限り、これらの形態に限られるものではない。
【００２２】
＜第１実施形態＞
本発明の第１実施形態について図１及び図２を参照しつつ説明する。図１は、本実施形
態の電子時計の外観を示す平面図である。
＜Ａ：電子時計の概要＞
図１に示す電子時計１００は、Ｂｌｕｅｔｏｏｔｈ４．０で統合されたＢｌｕｅｔｏｏ
ｔｈ Ｌｏｗ Ｅｎｅｒｇｙ（以下、Ｂｌｕｅｔｏｏｔｈ ＬＥとする。）の技術を用いて
携帯電話またはスマートフォン等との近距離無線通信が可能な電子時計である。
電子時計１００は、外装ケース８０を備えている。外装ケース８０は、金属で形成され
た円筒状のケース胴８１に、セラミックまたは金属で形成されたベゼル８２が嵌合されて
構成されている。なお、本実施形態では、外装ケースを２部品で構成したが、１部品で構
成するようにしてもよい。
【００２３】
ベゼル８２の内周側に、リング状のダイヤルリング８３を介して、円盤状の文字板１１
が配置され、この文字板１１上には、時刻を表示する指針１３や日付け等が配置されてい
る。指針１３は、時針１３ａと、分針１３ｂと、秒針１３ｃとから構成される。
外装ケース８０の表面側の開口は、ベゼル８２を介してカバーガラス８４で塞がれてお
り、カバーガラス８４を通じて、内部の文字板１１、指針１３（時針１３ａ、分針１３ｂ
、秒針１３ｃ）が視認可能となっている。
【００２４】
電子時計１００は、リュウズ１６を手動操作することにより、手動の時刻修正が可能で
あり、また、操作ボタン１７を手動操作することにより、通常時刻表示モードと通信モー
ドとを切り替えることが可能に構成されている。通信モードの詳細については後述する。
【００２５】
＜Ｂ：電子時計の電気的構成＞
本実施形態の電子時計１００は、Ｂｌｕｅｔｏｏｔｈ ＬＥの規格に従った無線通信を
行う通信部２と、指針の駆動を制御する運針制御部３と、指針を駆動する駆動部４と、時
刻をカウントするカウンタ部６と、電力を供給する電力供給部７と、リュウズ（竜頭）１
６や操作ボタン１７などの外部入力装置８とを備えて構成されている。
【００２６】
通信部２は、図２に示すように、アンテナ２１と、時刻情報管理部２２と、無線通信部
２３と、時刻データ記憶回路部２４とを備えて構成されている。本実施形態では、通信部
２は、Ｂｌｕｅｔｏｏｔｈ ＬＥの規格に従った無線通信を行うので、周波数としては２
．４ＧＨｚ帯を用いる。
アンテナ２１は、無線通信部２３を実現するＩＣ（集積回路装置）に内蔵されるインダ
クター素子により実現してもよいし、ＩＣの外付け部品により実現しもてよい。
時刻情報管理部２２は、ＣＰＵ等により実現され、電子時計１００の現在の時刻と、無
線通信により取得した時刻情報とに基づいて、現在の時刻を時刻情報に基づく時刻に修正
する処理を行う。また、時刻情報管理部２２は、スマートフォン等の携帯機器との通信を
開始する際に必要なＰＩＮ ＣＯＤＥを電子時計１００において表示するための処理を行
う。詳しくは後述する。
無線通信部２３は、ＢｌｕｅｔｏｏｔｈＬＥの規格に従った無線通信を行う専用のＩＣ
（集積回路装置）により実現される。無線通信部２３は、コンデンサ等で構成された同調
部及びパワーアンプ等で構成された送受信部を含む送受信回路部２３ａと、リンク層部及
び制御処理部を含む通信処理部２３ｂとを備える。送受信回路部２３ａは、後述するスマ
ートフォン等の携帯機器との無線による情報の送受信を行う。通信処理部２３ｂのリンク
層部は、リンク層の処理、すなわち、機器同士の論理的な接続に関する処理を行う。具体
的にはリンク層部は、パケットの生成処理、パケットの解析処理、パケットのバッファリ
ング処理、エラーチェック処理等を行う。通信処理部２３ｂの制御処理部は、Ｂｌｕｅｔ
ｏｏｔｈ ＬＥのプロトコル及びプロファイル等に基づいて、リンク層部、及び無線通信
部２３の全体の制御処理や、リンク層の上位の層（例えばネットワーク層、トランスポー
ト層、セッション層等）の処理を行う。また、通信処理部２３ｂの制御処理部は、ペアリ
ング時においては、ＰＩＮ ＣＯＤＥを発生させる処理を行う。詳しくは後述する。通信
処理部２３ｂの制御処理部の機能は、ＣＰＵ等の各種プロセッサやＡＳＩＣ等のハードウ
ェア回路や、このハードウェア回路上で動作するプログラムなどにより実現できる。
時刻データ記憶回路部２４は、メモリ等で構成され、無線通信部２３で処理された時刻
データを記憶する。
【００２７】
運針制御部３は、図２に示すように、パルス合成回路３１からのパルス信号が入力され
る。パルス合成回路３１は、水晶振動子などの基準振動子３１１からの基準パルスを分周
してクロックパルスを生成し、また、基準パルスからパルス幅やタイミングの異なるパル
ス信号を発生させる。運針制御部３は、通常モード時においては、時刻情報管理部２２か
ら出力される時刻情報並びに前記クロックパルス及びパルス信号に基づいて、通常の時刻
表示のために指針の駆動を制御する。また、運針制御部３は、通信モード時においては、
時刻情報管理部２２から出力されるＰＩＮ ＣＯＤＥ並びに前記クロックパルス及びパル
ス信号に基づいて、ＰＩＮ ＣＯＤＥ表示のために指針の駆動を制御する。
【００２８】
運針制御部３は、通常モード時においては、一秒に一回出力され秒針を駆動させる秒駆
動パルス信号ＰＳ１と、一分間に一回出力され時分針を駆動させる時分駆動パルス信号Ｐ
Ｓ２とを、秒駆動回路４１、時分駆動回路４２に出力して、指針の駆動を制御する。すな
わち、各駆動回路４１，４２は、各駆動回路４１、４２からのパルス信号によって駆動さ
れるステッピングモータからなる秒モータ４１１，時分モータ４２１を駆動し、これによ
り各モータ４１１，４２１に接続された秒針１３ｃと、分針１３ｂ及び時針１３ａとを駆
動する。そして、各指針、モータ４１１，４２１、駆動回路４１，４２によって時刻を表
示する時刻表示部が構成されている。なお、時刻表示部としては、１つのモータで、時針
、分針、秒針を駆動するものでもよい。
【００２９】
カウンタ部６は、秒をカウントする秒カウンタ回路部６１と、時分をカウントする時分
カウンタ回路部６２とを備えて構成されている。
秒カウンタ回路部６１は、秒位置カウンタ６１１と、秒時刻カウンタ６１２と、一致検
出回路６１３とを備えて構成されている。秒位置カウンタ６１１及び秒時刻カウンタ６１
２はともに６０カウント、つまり１Ｈｚの信号が入力された場合には６０秒でループする
カウンタである。秒位置カウンタ６１１は、運針制御部３から秒駆動回路４１に供給され
る駆動パルス信号（秒駆動パルス信号ＰＳ１）をカウントしている。つまり、秒針を駆動
させる駆動パルス信号をカウントすることによって、秒針が示している秒針の位置をカウ
ントしている。
秒時刻カウンタ６１２は、通常は、運針制御部３から出力される１Ｈｚの基準パルス信
号（クロックパルス)をカウントする。また、時刻情報管理部２２から時刻修正指示が出
力された場合には、運針制御部３は、時刻データ記憶回路部２４から時刻データを読み取
り、この時刻データのうちの秒データに合わせてカウンタ値が修正される。
【００３０】
同様に、時分カウンタ回路部６２は、時分位置カウンタ６２１と、時分時刻カウンタ６
２２と、一致検出回路６２３とを備えて構成されている。時分位置カウンタ６２１および
時分時刻カウンタ６２２はともに２４時間分の信号が入力されるとループするカウンタで
ある。時分位置カウンタ６２１は、運針制御部３から時分駆動回路４２に供給される駆動
パルス信号（時分駆動パルス信号ＰＳ２）をカウントし、時針、分針が示している時分針
の位置をカウントしている。
時分時刻カウンタ６２２は、通常は、運針制御部３から出力される１Ｈｚのパルス（ク
ロックパルス)をカウントする（正確には１Ｈｚを６０回計数したところで１カウントと
する）。また、時刻情報管理部２２から時刻修正指示が出力された場合には、運針制御部
３は、時刻データ記憶回路部２４から時刻データを読み取り、この時刻データのうちの時
分データに合わせてカウンタ値が修正される。
【００３１】
各一致検出回路６１３，６２３は、各位置カウンタ６１１，６２１と各時刻カウンタ６
１２，６２２とのカウント値の一致を検出し、一致しているか否かを示す検出信号を運針
制御部３に出力する。
運針制御部３は、各一致検出回路６１３，６２３から不一致信号が入力されると、一致
信号が入力されるまで各駆動パルス信号ＰＳ１，ＰＳ２を出力し続ける。このため、通常
運針時は、運針制御部３から１Ｈｚの基準信号によって各時刻カウンタ６１２，６２２の
カウンタ値が変化して位置カウンタ６１１，６２１と不一致となると、各駆動パルス信号
ＰＳ１，ＰＳ２が出力されて各指針が動くとともに、各位置カウンタ６１１，６２１が時
刻カウンタ６１２，６２２と一致することになり、この動作を繰り返すことで、通常の運
針制御が行われる。
また、時刻データ記憶回路部２４から読み取った時刻データで各時刻カウンタ６１２，
６２２が修正されると、そのカウンタ値に各位置カウンタ６１１，６２１のカウンタ値が
一致するまで、各駆動パルス信号ＰＳ１，ＰＳ２が出力され続け、指針が早送りされて正
しい時刻に修正される。
【００３２】
運針制御部３は、通信モード時においては、時刻情報管理部２２から出力されるＰＩＮ
ＣＯＤＥを一桁ずつ表示するために、秒駆動回路４１に駆動パルス信号ＰＳ１を出力し
、秒モータ４１１を駆動して、ＰＩＮ ＣＯＤＥのいずれかの一桁の数字に対応する時刻
表示位置に秒針１３ｃを移動させる。詳しくは後述する。なお、本実施形態では、秒針１
３ｃを移動させることによりＰＩＮ ＣＯＤＥの各桁の数字を表示させる例について説明
するが、時針１３ａあるいは分針１３ｂを移動させてＰＩＮ ＣＯＤＥの各桁を表示させ
る場合には、運針制御部３から時分駆動回路４２に駆動パルス信号ＰＳ２を出力し、時分
モータ４２１を駆動すればよい。
【００３３】
電力供給部７は、自動巻発電機や太陽電池（ソーラー発電機）等によって構成された発
電装置７１と、発電装置７１で発電された電力を蓄電する高容量二次電源７２とを備えて
構成されている。高容量二次電源７２は、リチウムイオン電池のような二次電池が利用で
きる。なお、電力供給部７としては、銀電池等の一次電池を用いてもよい。
外部入力装置８は、リュウズ１６、操作ボタン１７を備え、受信動作や時刻合わせなど
を行うために利用される。また、通常モードと通信モードの切り替えは、操作ボタン１７
を押下することにより行う。
【００３４】
＜Ｃ：携帯機器の電気的構成＞
次に、本実施形態の電子時計１００と無線通信を行う電子機器としての携帯機器２００
の電気的構成について図３を参照しつつ説明する。なお、図３は電子時計１００と携帯機
器２００を備えた通信システムの電気的構成を示すブロック図であり、電子時計１００の
電気的構成を示すブロック図も併せて記載するが、簡単のために、電力供給部７及び外部
入力装置８の記載は省略している。また、秒カウンタ回路部６１及び時分回路部６２につ
いても記載を簡略化している。
携帯機器２００は、携帯機器制御部２０１、記憶部２０２、表示部２０３、ＧＰＳ／Ｗ
ＬＡＮレシーバ２０４、及び近距離無線回路２０５を備えている。携帯機器２００の一例
としては、スマートフォン、携帯電話等が挙げられる。
【００３５】
ＧＰＳ／ＷＬＡＮレシーバ２０４は、アンテナ２０４ａを備え、アンテナ２０４ａを介
して、地球の上空を所定の軌道で周回している複数のＧＰＳ衛星３００から送信される衛
星信号を受信し、時刻情報や位置情報を取得する。また、ＧＰＳ／ＷＬＡＮレシーバ２０
４は、アンテナ２０４ａを介して無線ＬＡＮによる信号を受信する。
【００３６】
ＧＰＳ／ＷＬＡＮレシーバ２０４は、図示を省略するが、通常のＧＰＳ装置と同様に、
ＧＰＳ衛星３００から送信される衛星信号を受信してデジタル信号に変換するＲＦ（Radi
o Frequency）部と、受信信号の相関判定を実行して航法メッセージを復調するＢＢ部（
ベースバンプ部）と、ＢＢ部で復調された航法メッセージ（衛星信号）からＧＰＳ時刻情
報や位置情報（測位情報）を取得して出力する情報取得部とを備えている。ＧＰＳとＷＬ
ＡＮとでは周波数が異なるが、便宜上一つのアンテナ２０４ａで両システムを表現してい
る。
【００３７】
ＲＦ部は、バンドパスフィルター、ＰＬＬ回路、ＩＦフィルター、ＶＣＯ（Voltage Co
ntrolled Oscillator）、ＡＤＣ（Ａ／Ｄ変換器）、ミキサー、ＬＮＡ（Low Noise Ampli
fier）、ＩＦアンプ等を備えている。バンドパスフィルターで抜き出された衛星信号は、
ＬＮＡで増幅された後、ミキサーでＶＣＯの信号とミキシングされ、ＩＦ（Intermediate
Frequency：中間周波数）にダウンコンバートされる。ミキサーでミキシングされたＩＦ
は、ＩＦアンプ、ＩＦフィルターを通り、ＡＤＣでデジタル信号に変換される。
【００３８】
ＢＢ部は、ＧＰＳ衛星３００で送信時に使用されたものと同一のＣ／Ａコードからなる
ローカルコードを生成するローカルコード生成部と、ローカルコードとＲＦ部から出力さ
れる受信信号との相関値を算出する相関部とを備える。そして、相関部で算出された相関
値が所定の閾値以上であれば、受信した衛星信号に用いられたＣ／Ａコードと、生成した
ローカルコードとが一致していることになり、衛星信号を捕捉（同期）することができる
。このため、受信した衛星信号を、ローカルコードを用いて相関処理することで、航法メ
ッセージを復調することができる。
【００３９】
情報取得部は、ＢＢ部で復調した航法メッセージからＧＰＳ時刻情報や位置情報を取得
する。航法メッセージには、プリアンブルデータ及びＨＯＷワードのＴＯＷ（Time of We
ek、「Ｚカウント」ともいう）、各サブフレームデータが含まれている。サブフレームデ
ータは、サブフレーム１からサブフレーム５まであり、各サブフレームには、例えば、週
番号データや衛星健康状態データを含む衛星補正データ等や、エフェメリス（ＧＰＳ衛星
３００毎の詳細な軌道情報）や、アルマナック（全ＧＰＳ衛星３００の概略軌道情報）等
のデータが含まれている。したがって、情報取得部は、受信した航法メッセージから所定
のデータ部分を抽出することにより、ＧＰＳ時刻情報や航法情報を取得することができる
。
【００４０】
近距離無線回路２０５は、Ｂｌｕｅｔｏｏｔｈ ＬＥの規格に従った無線通信を行う専
用のＩＣ（集積回路装置）により実現される。近距離無線回路２０５は、アンテナ２０５
ａを備え、Ｂｌｕｅｔｏｏｔｈ ＬＥの規格に従って、例えば前記電子時計１００のよう
な電子機器との間で、無線通信を行う。図示を省略するが、近距離無線回路２０５におい
ても、電子時計１００の無線通信部２３と同様に、コンデンサ等で構成された同調部及び
パワーアンプ等で構成された送受信部を含む送受信回路部と、リンク層部及び制御処理部
を含む通信処理部とを備える。
【００４１】
記憶部２０２は、半導体メモリ等から構成され、携帯機器制御部２０１により実行され
るプログラム等が記憶される。また、記憶部２０２は、制御部２０１の作業領域として使
用される。プログラムには、電子時計１００との通信を行うためのプログラムとしてのア
プリケーションが含まれる。
【００４２】
携帯機器制御部２０１は、ＣＰＵ等の各種プロセッサやＡＳＩＣ等のハードウェア回路
や、このハードウェア回路上で動作するプログラムなどにより実現できる。携帯機器制御
部２０１は、携帯機器２００の全体の処理を制御し、例えば、ＧＰＳ／ＷＬＡＮレシーバ
２０４を介して取得したＧＰＳ時刻情報に基づいて時刻情報の表示処理等を行う。また、
携帯機器制御部２０１は、記憶部２０２に記憶されているアプリケーションプログラムを
実行することにより、前記電子時計１００のような電子機器との間で、無線通信を行うた
めの処理を行う。詳しくは後述する。
【００４３】
表示部２０３は、液晶ディスプレイパネル等により実現され、携帯機器制御部２０１に
より各種のプログラムが実行された際に、種々の表示を行う。また、表示部２０３は、タ
ッチパネルの機能を備えており、入力部としても機能する。
【００４４】
＜Ｄ：電子時計及び携帯機器の無線通信開始処理＞
次に、電子時計１００及び携帯機器２００との間の無線通信処理について、図４ないし
図１２までの各図を参照しつつ説明する。図４ないし図９は電子時計１００と携帯機器２
００の表示状態を示す図、図１０はＰＩＮ ＣＯＤＥの各桁の数字と数字に対応する時刻
表示位置の関係を示す図、図１１は電子時計１００と携帯機器２００の無線通信開始処理
を示すフローチャート、図１２は未入力の桁がある場合の電子時計１００と携帯機器２０
０の表示状態を示す図である。
まず、Ｂｌｕｅｔｏｏｔｈ ＬＥの規格に従って携帯機器２００と電子時計１００とが
初めて無線通信を開始する場合には、携帯機器２００側から見て電波が届く範囲にある電
子時計１００の発見と、この隣接機器のネットワークへの参加という処理が必要になる。
これらの処理を開始するには、携帯機器２００において電子時計１００との無線通信用の
アプリケーションプログラムを起動させる（図１１：ステップＳ２０）。アプリケーショ
ンプログラムを起動させると、携帯機器２００の表示部２０３には、図４に示すように「
電子時計を探す」と示されたサーチボタン２０９が表示される。
【００４５】
ユーザがサーチボタン２０９をタップすると、携帯機器２００の携帯機器制御部２０１
は、スキャニング（Ｓｃａｎｎｉｎｇ）と呼ばれる処理を行うべく近距離無線回路２０５
を制御する。具体的には、携帯機器２００の近距離無線回路２０５は、スキャニング（Ｓ
ｃａｎｎｉｎｇ）状態に遷移し、電子時計１００からのアドバタイング・パケットの受信
を待つ。
【００４６】
次に、ユーザが、電子時計１００の操作ボタン１７を所定時間押下することにより、電
子時計１００は通常モードから通信モードに移行し（図１１：ステップＳ１０）、電子時
計１００の無線通信部２３は、アドバタイジング（Ａｄｖｅｒｔｉｓｉｎｇ）状態に遷移
し、一定期間ごとにアドバタイジング・パケットを送信する。アドバタイジング・パケッ
トには、機器が持つ発見や接続の機能を示す情報、機器の名称、機器の送信電力、機器の
機能を示す情報等が含まれる。
【００４７】
携帯機器２００は、電子時計１００からのアドバタイング・パケットを受信すると、こ
の電子時計１００を接続先として決め、電子時計１００に対して接続要求を送信して、接
続を開始する（図１１：ステップＳ２１）。この時、携帯機器２００は、表示部２０３に
おける表示を図５に示すように切り替える。図５に示すように、表示部２０３には、型名
及び「未接続」の文字が示された接続開始ボタン２１０が表示される。型名には、アドバ
タイジング・パケットに含まれていた機器の名称が表示される。電子時計１００が携帯機
器２００からの接続要求を受信すると、この接続要求が自分宛てであることを確認して、
接続を開始する（図１１：ステップＳ１１）。電子時計１００は、接続を開始した際には
、時針１３ａ、分針１３ｂ、秒針１３ｃを停止させる。
【００４８】
以上のように携帯機器２００と電子時計１００との間で接続が開始されると、接続相手
となる機器をお互いに登録するためのペアリング（Ｐａｉｒｉｎｇ）と呼ばれる処理が開
始される。図１１のフローチャートへの詳細な記載は省略するが、ペアリングにおいては
、携帯機器２００と電子時計１００との間で、互いの機器ＩＤ（Ｐｕｂｌｉｃ Ｋｅｙ）
の交換、何秒に１回通信を行うか等の通信パラメータの交換、セキュリティの要否の確認
、及び電子時計１００における入出力機能の確認を行う。
【００４９】
Ｂｌｕｅｔｏｏｔｈ ＬＥの規格では、ペアリング時におけるセキュリティレベルがい
くつか提案されているが、本実施形態においては、セキュリティレベルが最も高いＰＩＮ
ＣＯＤＥの入力を必要とする。そこで、携帯機器２００から電子時計１００に対して、
セキュリティが必要であり、ＰＩＮ ＣＯＤＥの入力が必要であることを知らせる。
また、本実施形態の電子時計１００は、指針１３を移動させて時刻表示を行うアナログ
式の時計ではあるが、以下に説明するようにＰＩＮ ＣＯＤＥの表示機能を有しているの
で、携帯機器２００から電子時計１００に対して、数値表示が可能であることを知らせる
。
【００５０】
携帯機器２００は、電子時計１００においてセキュリティが必要であり、数値表示が可
能であることを確認すると、携帯機器２００は、電子時計１００に対してＰＩＮ ＣＯＤ
Ｅの発生要求を送信する（図１１：ステップＳ２２）。
また、携帯機器２００は、携帯機器２００においてＰＩＮ ＣＯＤＥの入力を要求する
ために、表示部２０３における表示を図６に示すような入力画面に切り替える（図１１：
ステップＳ２３）。図６に示すように、表示部２０３には、キャンセルボタン２１２、完
了ボタン２１３、ＰＩＮ ＣＯＤＥ入力エリア２１４、及びテンキー２１５が表示される
。
したがって、本実施形態の携帯機器２００の携帯機器制御部２０１は、電子時計１００
が電子機器として携帯機器２００にて入力すべき情報（ＰＩＮ ＣＯＤＥ）の表示が可能
であると判定した場合に、表示部２０３に、入力すべき情報（ＰＩＮ ＣＯＤＥ）の表示
の入力欄としてのＰＩＮ ＣＯＤＥ入力エリア２１４を表示させる制御部として機能する
。
【００５１】
電子時計１００は、携帯機器２００からＰＩＮ ＣＯＤＥの発生要求を受信すると、無
線通信部２３の通信処理部２３ｂにおいて、ＰＩＮ ＣＯＤＥを発生させる（図１１：ス
テップＳ１２）。ＰＩＮ ＣＯＤＥには、Ｐａｓｓ Ｋｅｙなどの各種のコードが含まれる
が、本実施形態では、一例として、「００００００」から「９９９９９９」までの６桁の
数字からなるＰＩＮ ＣＯＤＥを、通信処理部２３ｂが発生させる。ＰＩＮ ＣＯＤＥの発
生は、例えば、その時の時刻に基づく乱数発生等により行われる。本実施形態では、一例
として、「１２３４５６」という６桁のＰＩＮ ＣＯＤＥを発生させた場合について説明
を行う。
【００５２】
通信処理部２３ｂによって発生させたＰＩＮ ＣＯＤＥは、時刻情報管理部２２によっ
て読み取られる。時刻情報管理部２２は、読み取ったＰＩＮ ＣＯＤＥの各桁の数字に対
応する時刻表示位置に秒針１３ｃを移動させるべく運針制御部３に対して指示を送る。本
実施形態では、一例として、図１０に示すように、１時位置から１０時位置までの時刻表
示位置に秒針１３ｃを移動させることにより、ＰＩＮ ＣＯＤＥの各桁の数字を表示する
。本実施形態では、ＰＩＮ ＣＯＤＥは、「００００００」から「９９９９９９」までの
６桁の数字で表されるので、ＰＩＮ ＣＯＤＥの各桁の数字としては、「０」から「９」
までを表示できればよい。本実施形態では、一例として、秒針１３ｃが１時位置を指した
時に「１」を表し、以下、秒針１３ｃが２時位置から９時位置までの各時間位置を指した
時に、それぞれ「２」から「９」までの数字を表している。また、秒針１３ｃが１０時位
置を指した時に、「０」を表している。
【００５３】
ＰＩＮ ＣＯＤＥを表す数字として、例えば、「１１３４５６」のように、６桁目と５
桁目のように隣り合う桁で同じ数字が用いられることも考えられる。この場合には、秒針
１３ｃは、６桁目と５桁目の表示時に、同じ１時位置を指すことになり、ユーザにとって
は分かりにくい。そこで、本実施形態では、ＰＩＮ ＣＯＤＥの表示を開始する際の初期
位置を定め、各桁を表示する前に秒針１３ｃを初期位置に戻し、初期位置において例えば
１秒間停止させ、その後に秒針１３ｃを各桁の数字に対応する時刻表示位置に移動させる
。
【００５４】
例えば、本実施形態では、１２時位置を初期位置としている。したがって、秒針１３ｃ
によるＰＩＮ ＣＯＤＥの表示が開始される場合には、まず図６に示すように秒針１３ｃ
を１２時位置に移動させ、秒針１３ｃを１２時位置において例えば１秒間停止させる。
【００５５】
次に、６桁目の「１」を表示するために秒針１３ｃを１時位置に移動させ、秒針１３ｃ
を１時位置において１秒間停止させる。その後、秒針１３ｃを時計回りに移動させて１２
時位置に戻す。１秒後に５桁目の「２」を表示するために秒針１３ｃを２時位置に移動さ
せ、秒針１３ｃを２時位置において１秒間停止させる。その後、秒針１３ｃを時計回りに
移動させて１２時位置に戻す。以下、同様にして、「１２３４５６」のＰＩＮ ＣＯＤＥ
を表示する。
以上のように、文字板１１は時刻を含む数字を表示する数字表示部として機能し、時刻
情報管理部２２は、電子機器としての携帯機器２００との通信を行う通信モード時に、携
帯機器２００にて入力すべき情報（すなわち認証情報としてのＰＩＮ ＣＯＤＥ）を指針
１３により表示させる時刻情報管理部として、特に、複数の指針のうちの一つの指針であ
る秒針１３ｃを文字板１１の数字表示位置に移動させて複数桁の数字を一桁ずつ表示させ
る時刻情報管理部として機能する。
【００５６】
説明を図１１のフローチャートに戻す。電子時計１００は、携帯機器２００からＰＩＮ
ＣＯＤＥの発生要求を受信し、無線通信部２３の通信処理部２３ｂにおいて、ＰＩＮ Ｃ
ＯＤＥを発生させると（図１１：ステップＳ１２）、秒針１３ｃを１２時位置に移動させ
て１秒間停止させる。次に、６桁目の「１」を表示するために秒針１３ｃを１時位置に移
動させ、秒針１３ｃを１時位置において１秒間停止させる（図１１：ステップＳ１３）。
これを確認したユーザは、携帯機器２００のテンキー２１５の「１」のキーをタップする
。携帯機器２００においては、ＰＩＮ ＣＯＤＥの入力画面を表示させた後、テンキー２
１５の数値キーの入力があったかどうかを判定しており（図１１：ステップＳ２４）、テ
ンキー２１５の「１」のキーの入力があったと判定した場合には（図１１：ステップＳ２
４；ＹＥＳ）、入力された数字をＰＩＮ ＣＯＤＥ入力エリア２１４の６桁目に表示させ
る（図１１：ステップＳ２５）。なお、ＰＩＮ ＣＯＤＥ入力エリア２１４における入力
位置は、最初に６桁目に設定されており、６桁目を入力すると５桁目というように順次移
動するように設定されている。また、テンキー２１５の矢印キーをタップすることにより
、所望の桁位置に入力位置を設定することができる。
【００５７】
携帯機器２００は、６桁目の数字を表示させた後は、キャンセルボタン２１２がタップ
されたかどうかを判定すると共に（図１１：ステップＳ２６）、及び完了ボタン２１３が
タップされたかどうかを判定する（図１１：ステップＳ２７）。キャンセルボタン２１２
はペアリング中にいつでもタップすることができ、キャンセルボタン２１２がタップされ
たと判定した場合には（図１１：ステップＳ２６；ＹＥＳ）、ペアリングの処理を中止す
る（図１１：ステップＳ３１）。また、携帯機器２００は、完了ボタン２１３がタップさ
れたと判定した場合には（図１１：ステップＳ２７；ＹＥＳ）、全ての桁の数字入力が完
了したかどうかを判定する（図１１：ステップＳ２８）。携帯機器２００は、未入力の桁
がある場合には（図１１：ステップＳ２８；ＮＯ）、後述するように未入力の桁を他の桁
と識別できるような表示を行い（図１１：ステップＳ２９）、入力待ち状態となる。また
、携帯機器２００は、キャンセルボタン２１２がタップされず（図１１：ステップＳ２６
；ＮＯ）、完了ボタン２１３もタップされないと判定した場合にも（図１１：ステップＳ
２７；ＮＯ）、入力待ち状態となる。
【００５８】
電子時計１００は、秒針１３ｃを１時位置において１秒間停止させた後、秒針１３ｃを
再び１２時位置に戻して１秒間停止させる。そして、５桁目の「２」を表示するために秒
針１３ｃを２時位置に移動させ、秒針１３ｃを２時位置において１秒間停止させる。これ
を確認したユーザは、携帯機器２００のテンキー２１５の「２」のキーをタップする。携
帯機器２００は、テンキー２１５の「２」のキーの入力があったと判定した場合には（図
１１：ステップＳ２４；ＹＥＳ）、入力された数字をＰＩＮ ＣＯＤＥ入力エリア２１４
の５桁目に表示させる（図１１：ステップＳ２５）。携帯機器２００は、キャンセルボタ
ン２１２のタップと（図１１：ステップＳ２６）、完了ボタン２１３のタップの有無を判
定し（図１１：ステップＳ２７）、いずれのタップもない場合には（図１１：ステップＳ
２６；ＮＯ，ステップＳ２７；ＮＯ）、入力待ち状態となる。図７は、秒針１３ｃが２時
位置を指し、ＰＩＮ ＣＯＤＥ入力エリア２１４の５桁目に「２」が表示された状態を示
している。
【００５９】
以下、同様の処理を、ＰＩＮ ＣＯＤＥの６桁目から２桁目までの数字について行う。
そして、電子時計１００は、秒針１３ｃを２桁目の数字に対応する５時位置において１秒
間停止させた後、秒針１３ｃを再び１２時位置に戻して１秒間停止させる。そして、１桁
目の「６」を表示するために秒針１３ｃを６時位置に移動させ、秒針１３ｃを６時位置に
おいて１秒間停止させる（図１１：ステップＳ１４）。これを確認したユーザは、携帯機
器２００のテンキー２１５の「６」のキーをタップする。携帯機器２００は、テンキー２
１５の「６」のキーの入力があったと判定した場合には（図１１：ステップＳ２４；ＹＥ
Ｓ）、入力された数字をＰＩＮ ＣＯＤＥ入力エリア２１４の１桁目に表示させる（図１
１：ステップＳ２５）。その後、携帯機器２００は、キャンセルボタン２１２のタップが
なく（図１１：ステップＳ２６；ＮＯ）、完了ボタン２１３のタップもない場合には（図
１１：ステップＳ２７；ＮＯ）、再び入力待ちとなる。
【００６０】
電子時計１００は、全ての桁の表示が終了すると、ＰＩＮ ＣＯＤＥのスクロール表示
を行う（図１１：ステップＳ１５）。スクロール表示とは、初期位置から６桁目、初期位
置から５桁目、初期位置から４桁目のように、６桁目から１桁目までを順次表示し、この
順次表示を繰り返すことをいう。このようなスクロール表示を行うことにより、ユーザは
、自らが携帯機器２００において入力した各桁の数字が正しいかどうかを確認することが
できる。
【００６１】
ユーザは、上述のようにスクロール表示が行われている間に、入力した各桁の数字が正
しいかどうかを確認し、正しいと確認した場合には、完了ボタン２１３をタップする。携
帯機器２００は、完了ボタン２１３がタップされたと判定すると（図１１：ステップＳ２
７；ＹＥＳ）、全ての桁の入力が完了したかどうかを判定する（図１１：ステップＳ２８
）。携帯機器２００は、全ての桁の入力が完了したと判定した場合には（図１１：ステッ
プＳ２８；ＹＥＳ）、登録完了を示す情報を生成し、この情報を記憶部２０２に記憶させ
るとともに、電子時計１００に送信する（図１１：ステップＳ２８）。そして、ペアリン
グ処理を完了し、図９に示すように接続済であることを示す接続済みボタン２１１を表示
させた後、アプリケーションの他の処理を開始する（図１１：ステップＳ３０）。携帯機
器２００から、登録完了を示す情報を受信した電子時計１００は、この情報を無線通信部
２３に記憶させ、ペアリング処理を終了して、時計表示を行う通常モードに戻る（図１１
：ステップＳ１６）。
【００６２】
なお、全ての桁を入力した後であっても、何らかの理由から携帯機器２００と電子時計
１００の接続を中止する場合には、ユーザはテンキー２１５のキャンセルボタン２１２を
タップすることによって、接続処理を中止することができる。携帯機器２００は、キャン
セルキー２１２がタップされたと判定すると（図１１：ステップＳ２６；ＹＥＳ）、ペア
リング処理を中止する（図１１：ステップＳ３１）。したがって、携帯機器２００と電子
時計１００の接続は確立されないので、接続を希望する場合には、ユーザは、再び通信ア
プリケーションの起動（図１１：ステップＳ２０）及び通信モードの開始（図１１：ステ
ップＳ１０）から開始する必要がある。
【００６３】
本実施形態においては、電子時計１００におけるＰＩＮ ＣＯＤＥの表示は、携帯機器
２００におけるＰＩＮ ＣＯＤＥの入力状態とは無関係に自律的に行われる。したがって
、ユーザが電子時計１００におけるいずれかの桁の数字の表示を見落とし、携帯機器２０
０においていずれかの桁が未入力になることも考えられる。携帯機器２００は、いずれか
の桁が未入力の状態で、完了ボタン２１３がタップされた場合には（図１１：ステップＳ
２７；ＹＥＳ，ステップＳ２８；ＮＯ）、未入力の桁を他の桁と識別可能に表示する（ス
テップＳ２９）。例えば、図１２に示すように、未入力の桁の入力欄２１４ａを、他の入
力欄とは異なる色で表示する。また、入力欄２１４ａと共に、キャンセルボタン２１２及
び完了ボタン２１３も通常とは異なる色等で表示してもよい。このようにすれば、ユーザ
に対して、未入力桁があること、及びどの桁が未入力であるかを確実に報知することがで
きる。
以上のように、本実施形態の携帯機器２００の携帯機器制御部２０１は、入力欄として
ＰＩＮ ＣＯＤＥ入力エリア２１４のうち未入力の桁を他の桁と識別可能に表示させる制
御部として機能する。
【００６４】
なお、図１１のフローチャートには図示していないが、ＰＩＮ ＣＯＤＥの入力には制
限時間が設定されており、ペアリングの開始から３０秒以内にＰＩＮ ＣＯＤＥの入力が
完了しない場合には、タイムアウトとして、ペアリングの処理を中止するようになってい
る。
【００６５】
ペアリングは初回のみに行われる処理であり、上述のようにペアリングが完了し、登録
済みの情報が携帯機器２００と電子時計１００との双方で登録された後は、ペアリングを
行う必要はない。したがって、携帯機器２００と電子時計１００が互いに無線通信可能な
距離に存在すれば、携帯機器２００及び電子時計１００は、互いに登録済みの情報を認識
することができ、通信接続が確立されるようになる。なお、ペアリングは削除することも
可能であり、ペアリングを削除した場合には、再び上述したペアリング処理を行う必要が
ある。
【００６６】
以上のように、本実施形態においては、ペアリング時に、ＰＩＮ ＣＯＤＥの各桁の数
字に対応する時刻表示位置へ指針を一桁ずつ移動させることで、セキュリティレベルの高
いＰＩＮ ＣＯＤＥを、デジタル式の表示パネル等を持たないアナログ式の電子時計上で
表示することが可能となった。また、電子時計と通信可能なスマートフォン等の携帯機器
においては、電子時計上に表示される各桁の数字を、一桁ずつ入力可能にしたので、デジ
タル式の表示パネル等を持たないアナログ式の電子時計との通信においても、セキュリテ
ィレベルの高いＰＩＮ ＣＯＤＥの入力が可能となり、セキュリティレベルの高いペアリ
ングを実現することができる。
【００６７】
＜第２実施形態＞
本発明の第２実施形態について図１３を参照しつつ説明する。第１実施形態においては
、電子時計１００において自律的にＰＩＮ ＣＯＤＥを一桁ずつ表示したが、本実施形態
は、携帯機器２００からの指示に応じて、電子時計１００においてＰＩＮ ＣＯＤＥを一
桁ずつ表示する。
【００６８】
図１３は、本実施形態における通信開始からペアリング完了までの処理を示すフローチ
ャートである。図１３において、図１１のフローチャートと同一の処理を行うステップに
ついては同じステップ番号を付してある。本実施形態においても、携帯機器２００におい
て通信用のアプリケーションが起動されてスキャニングが開始され、電子時計１００に対
するＰＩＮ ＣＯＤＥの発生要求と携帯機器２００におけるＰＩＮ ＣＯＤＥの入力画面表
示が行われるまで（図１３：ステップＳ２０〜ステップＳ２３）は第１実施形態と同様で
ある。また、電子時計１００においても、操作ボタン１７が押下されて通信モードに遷移
し、アドバタイジングが開始されてＰＩＮ ＣＯＤＥの発生が行われ、ＰＩＮ ＣＯＤＥの
６桁目の数字に対応する時刻表示位置に秒針１３ｃを移動させるまでの処理（図１２：ス
テップＳ１０〜Ｓ１３）は第１実施形態と同様である。
【００６９】
本実施形態においては、携帯機器２００は、ＰＩＮ ＣＯＤＥの入力画面表示を行った
後、テンキー２１５の数値キーの入力があったかどうか、また、キャンセルボタン２１２
の入力があったかどうかを判定しており（図１３：ステップＳ２４，ステップＳ２６）、
いずれも未入力の場合には（図１３：ステップＳ２４；ＮＯ，ステップＳ２６；ＮＯ）、
全ての桁の入力が完了したかどうかを判定する（図１３：ステップＳ２８）。携帯機器２
００は、全ての桁の入力が完了していないと判定した場合には（図１３：ステップＳ２８
；ＮＯ）、入力待ちとなる。
ここで、電子時計１００上においてＰＩＮ ＣＯＤＥの６桁目の数字を確認したユーザ
が、携帯機器２００のテンキー２１５のいずれかをタップして、ＰＩＮ ＣＯＤＥ入力エ
リア２１４の６桁目に前記確認した数字を入力したとする。この場合には、携帯機器２０
０は、６桁目の数字が入力されたと判定し（図１３：ステップＳ２４；ＹＥＳ）、入力さ
れた数字をＰＩＮ ＣＯＤＥ入力エリア２１４の６桁目に表示させる（図１３：ステップ
Ｓ２５）。また、携帯機器２００は、電子時計１００に対して、表示された桁よりも一つ
下の桁、すなわち、この場合にはＰＩＮ ＣＯＤＥの５桁目の数字を表示する指示を行う
（図１３：ステップＳ４１）。
【００７０】
携帯機器２００から５桁目の数字を表示する指示を受けた電子時計１００は、５桁目の
数字に対応する時刻表示位置に秒針１３ｃを移動させて、５桁目の数字を表示する（図１
３：ステップＳ６０）。
【００７１】
携帯機器２００は、ＰＩＮ ＣＯＤＥ入力エリア２１４の６桁目に表示させた後（図１
３：ステップＳ２５）、テンキー２１５の数値キーの入力があったかどうか、また、キャ
ンセルボタン２１２の入力があったかどうかを判定し（図１３：ステップＳ２４，ステッ
プＳ２６）、いずれも未入力の場合には（図１３：ステップＳ２４；ＮＯ，ステップＳ２
５；ＮＯ）、全ての桁の入力が完了したかどうかを判定する（図１３：ステップＳ２８）
。携帯機器２００は、全ての桁の入力が完了していないと判定した場合には（図１３：ス
テップＳ２８；ＮＯ）、入力待ちとなる。
【００７２】
ここで、電子時計１００上においてＰＩＮ ＣＯＤＥの５桁目の数字を確認したユーザ
が、携帯機器２００のテンキー２１５のいずれかをタップして、ＰＩＮ ＣＯＤＥ入力エ
リア２１４の５桁目に前記確認した数字を入力したとする。この場合には、携帯機器２０
０は、５桁目の数字が入力されたと判定し（図１３：ステップＳ２４；ＹＥＳ）、入力さ
れた数字をＰＩＮ ＣＯＤＥ入力エリア２１４の５桁目に表示させる（図１３：ステップ
Ｓ２５）。また、携帯機器２００は、電子時計１００に対して、表示された桁よりも一つ
下の桁、すなわち、この場合にはＰＩＮ ＣＯＤＥの４桁目の数字を表示する指示を行う
（図１３：ステップＳ４２）。
【００７３】
以下同様に、電子時計１００は携帯機器２００から指示された桁の数字を秒針１３ｃに
より表示し、携帯機器２００は数値キーの入力がある度に入力された数字をＰＩＮ ＣＯ
ＤＥ入力エリア２１４に表示させ、電子時計１００に対して、表示された桁よりも一つ下
の桁を表示する指示を行う。
以上の処理が繰り返され、携帯機器２００から１桁目の数字を表示する指示（図１３：
ステップＳ４２）を受けた電子時計１００は、１桁目の数字に対応する時刻表示位置に秒
針１３ｃを移動させて、１桁目の数字を表示する（図１３：ステップＳ１４）。ここで、
電子時計１００上においてＰＩＮ ＣＯＤＥの１桁目の数字を確認したユーザが、携帯機
器２００のテンキー２１５のいずれかをタップしたものとする。
この場合には、携帯機器２００は、１桁目の数字が入力されたと判定し（図１３：ステ
ップＳ２４；ＹＥＳ）、入力された数字をＰＩＮ ＣＯＤＥ入力エリア２１４の１桁目に
表示させる（図１３：ステップＳ２５）。この段階で、全ての桁の表示が行われたことに
なるので、携帯機器２００は、電子時計１００に対して、表示された桁よりも一つ下の桁
の数字を表示する指示は行わずに、キャンセルボタン２１２のタップの有無を判定し（図
１３：ステップＳ２６）、キャンセルボタン２１２のタップがないと判定した場合には（
図１３：ステップＳ２６；ＮＯ）、全ての桁の入力が完了したかどうかを判定する（図１
３：ステップＳ２８）。
【００７４】
携帯機器２００は、全ての桁の入力が完了したと判定した場合には（図１３：ステップ
Ｓ２８；ＹＥＳ）、電子時計１００に対して、ＰＩＮ ＣＯＤＥの各桁をスクロール表示
するように指示を行う（図１３：ステップＳ４３）。
【００７５】
電子時計１００は、携帯機器２００からスクロール表示の指示を受けると、ＰＩＮ Ｃ
ＯＤＥのスクロール表示を行う（図１３：ステップＳ１５）。スクロール表示については
第１実施形態と同様である。ユーザは、スクロール表示が行われている間に、入力した各
桁の数字が正しいかどうかを確認し、誤りがある場合には、修正を行う。また、正しいと
確認した場合には、完了ボタン２１３をタップする。
【００７６】
一方、携帯機器２００は、全ての桁の入力が完了したと判定した後は（図１３：ステッ
プＳ２８；ＹＥＳ）、完了ボタン２１３がタップされたかどうかを判定し（図１３：ステ
ップＳ４０）、完了ボタン２１３がタップされないと判定した場合には（図１３：ステッ
プＳ４０；ＮＯ）、入力待ち状態となり、数値キーの入力の判定（図１３：ステップＳ４
４）、キャンセルボタン２１２のタップの判定（図１３：ステップＳ２６）、完了ボタン
２１３のタップの判定（図１３：ステップＳ４０）を繰り返し行う。
そして、携帯機器２００は、完了ボタン２１３がタップされたと判定すると（図１３：
ステップＳ４０；ＹＥＳ）、登録完了を示す情報を生成し、この情報を記憶部２０２に記
憶させるとともに、電子時計１００に送信する（図１３：ステップＳ４４）。また、携帯
機器２００は、電子時計１００に対して、スクロール表示を終了する指示を行う（図１３
：ステップＳ４４）。その後、携帯機器２００は、ペアリング処理を完了し、図９に示す
ように接続済であることを示す接続済みボタン２１１を表示させた後、アプリケーション
の他の処理を開始する（図１３：ステップＳ３０）。携帯機器２００から、登録完了を示
す情報とスクロール表示の終了指示を受信した電子時計１００は、登録完了を示す情報を
無線通信部２３に記憶させると共に、スクロール表示を終了させ、ペアリング処理を終了
して時計表示を行う通常モードに戻る（図１３：ステップＳ１６）。
【００７７】
なお、全ての桁を入力した後であっても、何らかの理由から携帯機器２００と電子時計
１００の接続を中止する場合には、ユーザはテンキー２１５のキャンセルキー２１２をタ
ップすることによって、接続処理を中止することができる。携帯機器２００は、キャンセ
ルキー２１２がタップされたと判定すると（図１３：ステップＳ２６；ＮＯ）、ペアリン
グ処理を中止する（図１３：ステップＳ３１）。ペアリング処理が中止されると、携帯機
器２００と電子時計１００の接続は確立されないため、接続を希望する場合には、ユーザ
は、再び通信アプリケーションの起動（図１３：ステップＳ２０）及び通信モードの開始
（図１３：ステップＳ１０）から開始する必要がある。
【００７８】
図１３のフローチャートには図示していないが、本実施形態においてもＰＩＮ ＣＯＤ
Ｅの入力には制限時間が設定されており、ペアリングの開始から３０秒以内にＰＩＮ Ｃ
ＯＤＥの入力が完了しない場合には、タイムアウトとして、ペアリングの処理を中止する
ようになっている。
【００７９】
以上のように、本実施形態においても、ペアリング時に、ＰＩＮ ＣＯＤＥの各桁の数
字に対応する時刻表示位置へ指針を一桁ずつ移動させることで、セキュリティレベルの高
いＰＩＮ ＣＯＤＥを、デジタル式の表示パネル等を持たないアナログ式の電子時計上で
表示することが可能となった。また、電子時計と通信可能なスマートフォン等の携帯機器
においては、電子時計に対して一桁ずつ表示を指示し、電子時計上に表示される各桁の数
字を、一桁ずつ入力可能にしたので、デジタル式の表示パネル等を持たないアナログ式の
電子時計との通信においても、ユーザはＰＩＮ ＣＯＤＥを見落とすことがなくなる。し
たがって、限られた時間の中でセキュリティレベルの高いＰＩＮ ＣＯＤＥの入力を確実
に行うことが可能となり、セキュリティレベルの高いペアリングを実現することができる
。
【００８０】
＜第３実施形態＞
本発明の第３実施形態について図１４乃至図１７を参照しつつ説明する。第１実施形態
及び第２実施形態においては、電子時計１００において秒針１３ｃによりＰＩＮ ＣＯＤ
Ｅを一桁ずつ表示したが、本実施形態は、秒針１３ｃだけでなく、時針１３ａ及び分針１
３ｂを用いて、電子時計１００においてＰＩＮ ＣＯＤＥを三桁ずつ表示する。
【００８１】
本実施形態においては、図１４に示すように、ＰＩＮ ＣＯＤＥの６桁目の数字を時針
１３ａで表示し、ＰＩＮ ＣＯＤＥの５桁目の数字を分針１３ｂで表示し、ＰＩＮ ＣＯＤ
Ｅの４桁目の数字を秒針１３ｃで表示する。このようにＰＩＮ ＣＯＤＥの６桁目から４
桁目までの数字を時針１３ａ、分針１３ｂ、秒針１３ｃを用いて表示する。さらに、図１
４に示すように、ＰＩＮ ＣＯＤＥの３桁目の数字を時針１３ａで表示し、ＰＩＮ ＣＯＤ
Ｅの２桁目の数字を分針１３ｂで表示し、ＰＩＮ ＣＯＤＥの１桁目の数字を秒針１３ｃ
で表示する。このようにＰＩＮ ＣＯＤＥの３桁目から１桁目までの数字を時針１３ａ、
分針１３ｂ、秒針１３ｃを用いて表示する。
【００８２】
図１５においては、電子時計１００上でＰＩＮ ＣＯＤＥの６桁目の数字である「１」
に対応する１時位置に時針１３ａを移動させ、ＰＩＮ ＣＯＤＥの５桁目の数字である「
２」に対応する２時位置に分針１３ｂを移動させている。また、図１６においては、電子
時計１００上でＰＩＮ ＣＯＤＥの４桁目の数字である「７」に対応する７時位置に秒針
１３ｃを移動させている。このように、時針１３ａ、分針１３ｂ、秒針１３ｃを用いて、
まず、ＰＩＮ ＣＯＤＥの６桁目から４桁目までの数字を表示する。また同様に、時針１
３ａ、分針１３ｂ、秒針１３ｃを用いて、ＰＩＮ ＣＯＤＥの３桁目から１桁目までの数
字を表示する。このように、本実施形態では、ＰＩＮ ＣＯＤＥを三桁ずつ表示する。
【００８３】
以下、図１７のフローチャートを参照しつつ、本実施形態の通信開始からペアリング終
了までの処理を説明する。図１７において、図１１のフローチャートと同一の処理を行う
ステップについては同じステップ番号を付してある。本実施形態においては、携帯機器２
００側の処理は第１実施形態と同様である（図１７：ステップＳ２０〜ステップＳ３１）
。また、電子時計１００においても、操作ボタン１７が押下されて通信モードに遷移し、
アドバタイジングが開始されてＰＩＮ ＣＯＤＥを発生させるまでの処理（図１７：ステ
ップＳ１０〜Ｓ１２）は第１実施形態と同様である。
【００８４】
本実施形態においては、携帯機器２００は、ＰＩＮ ＣＯＤＥの入力画面表示を行った
後、テンキー２１５の数値キーの入力があったかどうか、また、キャンセルボタン２１２
の入力があったかどうか、さらに完了ボタン２１３の入力があったかどうかを判定し（図
１７：ステップＳ２４，ステップＳ２６，ステップＳ２７）、いずれも未入力の場合には
（図１７：ステップＳ２４；ＮＯ，ステップＳ２６；ＮＯ，ステップＳ２７；ＮＯ）、入
力待ちとなる。
【００８５】
電子時計１００は、ＰＩＮ ＣＯＤＥを発生させた後は、時針１３ａ、分針１３ｂ、秒
針１３ｃを全て１２時位置に移動させ、例えば１秒間停止させる。次に、時針１３ａをＰ
ＩＮ ＣＯＤＥの６桁目の数字に対応する時刻表示位置に移動させ、分針１３ｂをＰＩＮ 
ＣＯＤＥの５桁目の数字に対応する時刻表示位置に移動させ、秒針１３ｃをＰＩＮ ＣＯ
ＤＥの４桁目の数字に対応する時刻表示位置に移動させて、ＰＩＮ ＣＯＤＥの６桁目か
ら４桁目までの三桁の数字を一度に表示させる（図１７：ステップＳ６１）。電子時計１
００は、時針１３ａ、分針１３ｂ、秒針１３ｃをこれらの時刻表示位置において、例えば
３秒間停止させる。本実施形態では、一度に三桁の数字を表示させるので、停止時間を第
１実施形態の場合よりも長くしている。
【００８６】
ここで、電子時計１００上においてＰＩＮ ＣＯＤＥの６桁目の数字を確認したユーザ
が、携帯機器２００のテンキー２１５のいずれかをタップして、ＰＩＮ ＣＯＤＥ入力エ
リア２１４の６桁目に前記確認した数字を入力したとする。この場合には、携帯機器２０
０は、６桁目の数字が入力されたと判定し（図１７：ステップＳ２４；ＹＥＳ）、入力さ
れた数字をＰＩＮ ＣＯＤＥ入力エリア２１４の６桁目に表示させる（図１７：ステップ
Ｓ２５）。同様に、携帯機器２００は、５桁目と４桁目の数字が入力された場合も、５桁
目と４桁目の数字をＰＩＮ ＣＯＤＥ入力エリア２１４に表示させる（図１７：ステップ
Ｓ２５）。携帯機器２００は、この後、入力待ち状態となる。
【００８７】
次に、電子時計１００は、時針１３ａ、分針１３ｂ、秒針１３ｃを全て１２時位置に移
動させ、例えば１秒間停止させる。そして、電子時計１００は、時針１３ａをＰＩＮ Ｃ
ＯＤＥの３桁目の数字に対応する時刻表示位置に移動させ、分針１３ｂをＰＩＮ ＣＯＤ
Ｅの２桁目の数字に対応する時刻表示位置に移動させ、秒針１３ｃをＰＩＮ ＣＯＤＥの
１桁目の数字に対応する時刻表示位置に移動させて、ＰＩＮ ＣＯＤＥの３桁目から１桁
目までの三桁の数字を一度に表示させる（図１７：ステップＳ６２）。電子時計１００は
、時針１３ａ、分針１３ｂ、秒針１３ｃをこれらの時刻表示位置において、例えば３秒間
停止させる。
【００８８】
ここで、電子時計１００上においてＰＩＮ ＣＯＤＥの３桁目の数字を確認したユーザ
が、携帯機器２００のテンキー２１５のいずれかをタップして、ＰＩＮ ＣＯＤＥ入力エ
リア２１４の３桁目に前記確認した数字を入力したとする。この場合には、携帯機器２０
０は、３桁目の数字が入力されたと判定し（図１７：ステップＳ２４；ＹＥＳ）、入力さ
れた数字をＰＩＮ ＣＯＤＥ入力エリア２１４の３桁目に表示させる（図１７：ステップ
Ｓ２５）。同様に、携帯機器２００は、２桁目と１桁目の数字が入力された場合も、３桁
目と２桁目の数字をＰＩＮ ＣＯＤＥ入力エリア２１４に表示させる（図１７：ステップ
Ｓ２５）。携帯機器２００は、この後、入力待ち状態となる。
【００８９】
電子時計１００は、３桁目から１桁目の数字を表示させた後は、ＰＩＮ ＣＯＤＥのス
クロール表示を行う。本実施形態においては、時針１３ａ、分針１３ｂ、秒針１３ｃを全
て１２時位置に移動させ、１秒間停止させる。そして、電子時計１００は、時針１３ａ、
分針１３ｂ、秒針１３ｃを６桁目から４桁目までの数字に対応する時刻表示位置に移動さ
せ、３秒間停止させる。次に、電子時計１００は、時針１３ａ、分針１３ｂ、秒針１３ｃ
を全て１２時位置に移動させ、１秒間停止させる。そして、電子時計１００は、時針１３
ａ、分針１３ｂ、秒針１３ｃを３桁目から１桁目までの数字に対応する時刻表示位置に移
動させ、３秒間停止させる。以上のような三桁ずつの表示処理を繰り返し行う。
【００９０】
ユーザは、上述のようにスクロール表示が行われている間に、入力した各桁の数字が正
しいかどうかを確認し、正しいと確認した場合には、完了ボタン２１３をタップする。携
帯機器２００は、完了ボタン２１３がタップされたと判定すると（図１７：ステップＳ２
７；ＹＥＳ）、全ての桁の入力が完了したかどうかを判定する（図１７：ステップＳ２８
）。携帯機器２００は、未入力の桁がある場合には（図１７：ステップＳ２８；ＮＯ）、
未入力の桁を他の桁から識別可能に表示する（図１７：ステップＳ２９）。また、携帯機
器２００は、全ての桁の入力が完了したと判定した場合には（図１７：ステップＳ２８；
ＹＥＳ）、登録完了を示す情報を生成し、この情報を記憶部２０２に記憶させるとともに
、電子時計１００に送信する（図１７：ステップＳ２８）。そして、ペアリング処理を完
了し、図９に示すように接続済であることを示す接続済みボタン２１１を表示させた後、
アプリケーションの他の処理を開始する（図１７：ステップＳ３０）。携帯機器２００か
ら、登録完了を示す情報を受信した電子時計１００は、この情報を無線通信部２３に記憶
させ、ペアリング処理を終了して、時計表示を行う通常モードに戻る（図１７：ステップ
Ｓ１６）。
【００９１】
以上のように、本実施形態の電子時計１００の時刻情報管理部２２は、複数の指針１３
ａ、１３ｂ、１３ｃを文字板１１の複数の数字表示位置に移動させて複数桁の数字を複数
桁ずつ表示させる時刻情報管理部として機能する。
本実施形態においても、全ての桁を入力した後に何らかの理由から携帯機器２００と電
子時計１００の接続を中止する場合には、ユーザはテンキー２１５のキャンセルボタン２
１２をタップすることによって、接続処理を中止することができる。携帯機器２００は、
キャンセルキー２１２がタップされたと判定すると（図１７：ステップＳ２６；ＹＥＳ）
、ペアリング処理を中止する（図１７：ステップＳ３１）。したがって、携帯機器２００
と電子時計１００の接続は確立されないので、接続を希望する場合には、ユーザは、再び
通信アプリケーションの起動（図１７：ステップＳ２０）及び通信モードの開始（図１７
：ステップＳ１０）から開始する必要がある。
【００９２】
また、図１７のフローチャートには図示していないが、ＰＩＮ ＣＯＤＥの入力には制
限時間が設定されており、ペアリングの開始から３０秒以内にＰＩＮ ＣＯＤＥの入力が
完了しない場合には、タイムアウトとして、ペアリングの処理を中止するようになってい
る。
【００９３】
以上のように、本実施形態においては、ペアリング時に、ＰＩＮ ＣＯＤＥの各桁の数
字に対応する時刻表示位置へ指針を三桁ずつ移動させるので、第１実施形態に比べて短い
時間でＰＩＮ ＣＯＤＥを表現することができる。また、セキュリティレベルの高いＰＩ
Ｎ ＣＯＤＥを、デジタル式の表示パネル等を持たないアナログ式の電子時計上で表示す
ることが可能であり、電子時計と通信可能なスマートフォン等の携帯機器においては、電
子時計上に表示される各桁の数字を、一桁ずつ入力可能にしたので、デジタル式の表示パ
ネル等を持たないアナログ式の電子時計との通信においても、セキュリティレベルの高い
ＰＩＮ ＣＯＤＥの入力が可能となり、セキュリティレベルの高いペアリングを実現する
ことができる。
【００９４】
なお、本実施形態においては、電子時計１００において自律的に６桁目から４桁目まで
の表示と、３桁目から１桁目までの表示を行うが、本発明はこのように例に限定されるも
のではない。例えば、６桁目から４桁目までの表示を行った後、携帯機器２００からの指
示に従って、３桁目から１桁目までの表示を行うようにしてもよい。また、スクロール表
示についても、携帯機器２００からの指示を受けた後にスクロール表示を開始するように
してもよい。
【００９５】
＜第４実施形態＞
本発明の第４実施形態について図１８及び図１９を参照しつつ説明する。上述した実施
形態においては、電子時計１００において指針１３を用いてＰＩＮ ＣＯＤＥのいずれか
の桁に対応する表示を表示したが、本実施形態は、時針１３ａによってＰＩＮ ＣＯＤＥ
の桁を表示し、分針１３ｂによって、その桁に対応する数字を表示する。
【００９６】
本実施形態においては、図１８に示すように、時針１３ａによってＰＩＮ ＣＯＤＥの
６桁から１桁までの桁を表示する。例えば、ＰＩＮ ＣＯＤＥの６桁目の数字を表示する
場合は、時針１３ａを６時位置に移動させる。同様に、ＰＩＮ ＣＯＤＥの５桁目の数字
を表示する場合は、時針１３ａを５時位置に移動させる。また、各桁の数字については、
分針１３ｂによって表示し、例えば、ある桁の数字が「１」の場合には、分針１３ｂを１
時位置に移動させる。同様に、ある桁の数字が「２」の場合には、分針１３ｂを２時位置
に移動させる。したがって、例えば、ＰＩＮ ＣＯＤＥの５桁目の数字が「２」である場
合には、図１９に示すように、時針１３ａを６時位置に移動させると共に、分針１３ｂを
２時位置移動させる。
以上のように、本実施形態の電子時計１００の時刻情報管理部２２は、第１の指針（時
針１３ａ）を文字板１１の数字表示位置に移動させて複数桁の数字の桁を表示させ、第２
の指針（分針１３ｂ）を文字板１１の数字表示位置に移動させて第１の指針（時針１３ａ
）により表示される桁の数字を表示させる時刻情報管理部として機能する。
【００９７】
通信開始からペアリング完了までの処理については、第１実施形態または第２実施形態
のいずれも採用可能である。
【００９８】
本実施形態によれば、上述した各実施形態の効果に加えて、ＰＩＮ ＣＯＤＥの各桁の
数字だけでなく、その数字の桁についても電子時計１０上に表示されるので、ユーザがＰ
ＩＮ ＣＯＤＥを誤って認識したり、誤って入力することを防ぐことができる。
【００９９】
＜変形例＞
本発明は、上述した実施形態に限定されるものではなく、例えば次に述べるような各種
の変形が可能である。また、次に述べる変形の態様は、任意に選択された一または複数を
、適宜に組み合わせることもできる。
【０１００】
（変形例１）
第１実施例及び第２実施形態においては、秒針１３ｃによりＰＩＮ ＣＯＤＥの各桁の
数字を表示したが、秒針１３ｃの代わりとして、時針１３ａまたは分針１３ｂにより各桁
の数字を表示するようにしてもよい。
第３実施形態においては、時針１３ａ、分針１３ｂ、秒針１３ｃによりＰＩＮ ＣＯＤ
Ｅを三桁ずつ表示したが、各指針がどの桁を表示するかについて適宜変更可能である。
第４実施形態においては、時針１３ａにより桁を表示し、分針１３ｂにより当該桁の数
字を表示したが、桁を表示する指針及び数字を表示する指針は、時針１３ａ、分針１３ｂ
、秒針１３ｃのいずれでもよく、適宜変更可能である。
【０１０１】
（変形例２）
第１実施例及び第２実施形態においては、ＰＩＮ ＣＯＤＥの各桁の表示時における指
針の動作と、スクロール表示時における指針の動作は同じであったが、例えば、ＰＩＮ 
ＣＯＤＥの各桁の表示時における指針の動作は第１実施例及び第２実施形態のように一つ
の指針により数字の表示を行い、スクロール表示時においては第４実施形態のように、二
つの指針により桁と数字の表示を行うようにしてもよい。
【０１０２】
（変形例３）
上述した各実施形態及び各変形例においては、指針をＰＩＮ ＣＯＤＥの各桁の数字に
対応する時刻表示位置に移動させたが、各指針の位置と数字との対応表を予め用意してお
き、対応表に従ってＰＩＮ ＣＯＤＥの各桁の数字を表示するようにしてもよい。例えば
、各指針が図１９に示す位置にある場合には、数字の「１」を表すというような対応表が
考えられる。
【０１０３】
（変形例４）
上述した各実施形態及び各変形例においては、指針をＰＩＮ ＣＯＤＥの各桁の数字に
対応する時刻表示位置に移動させるだけであったが、電子時計にアラームあるいはブザー
の発音部を設け、指針がＰＩＮ ＣＯＤＥの各桁の数字に対応する時刻表示位置に移動し
た場合に、アラームあるいはブザーを発音させるようにしてもよい。
【０１０４】
（変形例５）
上述した各実施形態及び各変形例においては、ＰＩＮ ＣＯＤＥの上位桁から順に表示
するようにしたが、表示順序は下位桁から順に表示するようにしてもよい。また、表示す
る桁数は、１桁から３桁の間で適宜変更可能である。
【０１０５】
（変形例６）
上述した実施形態及び各変形例においては、文字板１１を数字表示部として用い、指針
を文字板１１に表示されている時刻表示位置に移動させたが、例えば、ダイヤルリング、
あるいはベゼル上に、時刻以外の数字を予め表示させておき、指針をこのようなダイヤル
リング、あるいはベゼル上の数字の位置に移動させることにより、ＰＩＮ ＣＯＤＥを表
示するようにしてもよい。
また、上述した実施形態及び各変形例においては、携帯機器において入力すべき情報と
して、６桁の数字で表されるＰＩＮ ＣＯＤＥを電子時計に表示させたが、携帯機器にお
いて入力すべき情報としては、数字以外の情報、例えば文字情報であってもよい。この場
合には、例えば、ダイヤルリング、あるいはベゼル上に、数字以外の情報、例えば文字情
報を予め表示させておき、指針をこのようなダイヤルリング、あるいはベゼル上の文字情
報等の位置に移動させることにより、文字情報等を表示するようにしてもよい。
【０１０６】
（変形例７）
上述した実施形態及び各変形例においては、本発明をアナログ式の腕時計に適用したが
、本発明は、指針をデジタルで表示する腕時計、あるいは、置き時計、もしくは、掛け時
計等に適用可能である。
【０１０７】
上述した本発明の各機能は、例えば、ＣＰＵ（中央処理装置）、メモリ（記憶装置）等
を備えたコンピュータにプログラムを組み込んで実現させてもよい。なお、このプログラ
ムは、インターネット等の通信手段や、ＣＤ−ＲＯＭ、メモリカード等の記録媒体を介し
てインストールされてもよい。
【０１０８】
上述した実施形態及び各変形例においては、近距離無線通信の例として、Ｂｌｏｏｔｈ
ＬＥの規格に従った無線通信を用いたが、本発明はこのような構成に限定されるもので
はなく、他の近距離無線通信を用いた場合にも適用可能である。
【符号の説明】
【０１０９】
１３…指針、１３ａ…時針、１３ｂ…分針、１３ｃ…秒針、１６…リュウズ、１７…操
作ボタン、２１…アンテナ、２２…時刻情報管理部、２３…無線通信部、２３ａ…送受信
回路部、２３ｂ…通信処理部、１００…電子時計、２００…携帯機器、２０１…携帯機器
制御部、２０３…表示部、２１２…キャンセルボタン、２１３…完了ボタン、２１４…入
力エリア、２１５…テンキー。
【図１】
2015184101.tif 000003
【図２】
2015184101.tif 000004
【図３】
2015184101.tif 000005
【図４】
2015184101.tif 000006
【図５】
2015184101.tif 000007
【図６】
2015184101.tif 000008
【図７】
2015184101.tif 000009
【図８】
2015184101.tif 000010
【図９】
2015184101.tif 000011
【図１０】
2015184101.tif 000012
【図１１】
2015184101.tif 000013
【図１２】
2015184101.tif 000014
【図１３】
2015184101.tif 000015
【図１４】
2015184101.tif 000016
【図１５】
2015184101.tif 000017
【図１６】
2015184101.tif 000018
【図１７】
2015184101.tif 000019
【図１８】
2015184101.tif 000020
【図１９】
2015184101.tif 000021